(57)【要約】【課題】刃物による攻撃に対して着用者の胸部から腹部までの部位を防御できると共に下腹部及び両脇腹部も防御できる防刃チョッキを提供する。【解決手段】チョッキ本体１の前身頃部１０に防刃プロテクター３を装着して設けた防刃チョッキであって、前身頃部は、身体２の胸部から腹部までの部位を覆う第１の身頃部１０ａと、下腹部を覆う第２の身頃部１０ｂと、両脇腹部を覆う第３及び第４の身頃部１０ｃ，１０ｄとを備えて構成する。防刃プロテクター３は、前記胸部から腹部までの部位を防護する第１の防刃部３１と、下腹部を防護する第２の防刃部３２と、両脇腹部を防護する第３及び第４の防刃部３３，３４とを備えて構成する。【選択図】図１
0003127246.tif 000002
【実用新案登録請求の範囲】
【請求項１】
身体に着用するチョッキ本体の前身頃部に防刃プロテクターを設けた防刃チョッキであって、
前記前身頃部は、身体の胸部から腹部までの部位を覆う第１の身頃部と、身体の下腹部を覆う第２の身頃部と、身体の両脇腹部を覆う第３及び第４の身頃部とを備えて構成され、
前記プロテクターは、前記胸部から腹部までの部位を防護する第１の防刃部と、前記下腹部を防護する第２の防刃部と、前記両脇腹部を防護する第３及び第４の防刃部とを備えて構成されている
ことを特徴とする、防刃チョッキ。
【請求項２】
前記プロテクターは、金属小板で造られ、四隅角部にリング挿通孔を設けてなる多数の金属板製駒片を、隣接する縁部を互に重合させると共に前記リング挿通孔に金属製リングを挿通して前記各駒片を連結し、前記第１ないし第４の防刃部を形成して構成されていることを特徴とする、請求項１に記載の防刃チョッキ。
【請求項３】
前記プロテクターは、金属小板で略四角形状に形成した多数の金属板製駒片を、隣接する縁部を互に重合させてシート基材上に並列し、前記各駒片の適当部をビス等で前記シート基材に固着して前記第１ないし第４の防刃部を形成して構成されていることを特徴とする、請求項１に記載の防刃チョッキ。
【考案の詳細な説明】
【技術分野】
【０００１】
本考案は、主に警察官等が使用する防刃チョッキ、さらに詳しくは、身体に着用し、ナイフやアイスピック等の刃物による攻撃から身を護るために使用する防刃チョッキに関する。
【背景技術】
【０００２】
従来、刃物による攻撃から身を護るために、警察官等は一般に防刃チョッキを着用している。従来の防刃チョッキとして、図１１に示すように、チョッキ本体１０１の前身頃部１０２に、身体（図示せず）の胸部から腹部までの部位を防護する防刃プロテクター１０３を装着してなるものが一般に知られている（例えば、特許文献１、２参照）。図１１において、１０４は後身頃部、１０５は肩ベルト、１０６は腰ベルトを示す。
前記従来の防刃チョッキを着用することにより、刃物による攻撃に対し、身体の胸部から腹部までの部位を防護することができる。
【０００３】
ところで、一般にナイフ等の刃物で攻撃される場合、身体の胸部や腹部と同様に、下腹部及び両脇腹部を刺されるケースも数多く生じている。しかるに、前記従来のプロテクターは上述したように胸部から腹部までを防御するように構成され、下腹部及び両脇腹部は無防備になっている。したがって、従来の防刃チョッキは下腹や両脇腹部を刃物により刺される危険性を有している。
【特許文献１】実開平３−７９０９４号公報
【特許文献２】実開平３−１０４６９３号公報
【考案の開示】
【考案が解決しようとする課題】
【０００４】
本考案は上記のような実情に鑑みてなされたもので、刃物による攻撃に対して胸部から腹部までの部位を防御できると共に下腹部及び両脇腹部も防御できる防刃チョッキを提供することを目的とするものである。
【課題を解決するための手段】
【０００５】
上記目的を達成するため、本考案のうちの１つの考案（第１の考案）は、身体に着用するチョッキ本体の前身頃部に防刃プロテクターを設けた防刃チョッキであって、前記前身頃部は、身体の胸部から腹部までの部位を覆う第１の身頃部と、身体の下腹部を覆う第２の身頃部と、身体の両脇腹部を覆う第３及び第４の身頃部とを備えて構成され、前記プロテクターは、前記胸部から腹部までの部位を防護する第１の防刃部と、前記下腹部を防護する第２の防刃部と、前記両脇腹部を防護する第３及び第４の防刃部とを備えて構成されていることを特徴とする。
【０００６】
上記のように構成すると、ナイフやアイスピック等の刃物でチョッキ着用者の身体の胸部から腹部までの部位を攻撃された際には第１の防刃部で、これを受け止めて防御し、刃物の先端が身体に達するのを防止する。また、刃物で下腹部や両脇腹部を攻撃された際には第２ないし第４の防刃体で、これを受け止めて防御し、刃物の先端が身体に達するのを防止する。
【０００７】
本考案のうち他の１つの考案（第２の考案）は、第１の考案の防刃チョッキにおいて、前記プロテクターは、金属小板で造られ、四隅角部にリング挿通孔を設けてなる多数の金属板製駒片を、隣接する縁部を互に重合させると共に前記リング挿通孔に金属製リングを挿通して前記各駒片を連結し、前記第１ないし第４の防刃部を形成して構成されていることを特徴とする。
【０００８】
第２の考案のように構成すると、プロテクターは前記各駒片の重合部を介して縦方向に折り曲げできると共に横方向に対しても自由に折り曲げすることができる。したがって、前記作用効果に加え、作動に支障なく着用することができる。
【０００９】
本考案のさらに他の１つの考案（第３の考案）は、第１の考案の防刃チョッキにおいて、前記プロテクターは、金属小板で略四角形状に形成した多数の金属板製駒片を、隣接する縁部を互に重合させてシート基材上に並列し、前記各駒片の適当部をビス等で前記シート基材に固着して前記第１ないし第４の防刃部を形成して構成されていることを特徴とする。
【００１０】
第３の考案のように構成すると、第２の考案と同様に前記プロテクターは前記各駒片の重合部を介して縦方向及び横方向に自由に折り曲げることができる。したがて、第１の考案の前記作用効果に加え、行動に支障なく着用することができる。
【考案の効果】
【００１１】
本考案によれば次のような効果を奏する。（１）刃物による攻撃に対しチョッキ着用者の身体の胸部から腹部までの部位を防御できると共に下腹部及び両脇腹部も防御することができる。（２）第２及び第３の考案によれば、前記効果に加え、プロテクターはフレキシブルに構成されているので、行動に支障なく着用することができる。
【考案を実施するための最良の形態】
【００１２】
以下、図面を参照して本考案の防刃チョッキの最良の実施の形態の一例を説明する。
【００１３】
図１ないし図７は本考案の一実施の形態を示すものであって、図１は本考案の一実施の形態の防刃チョッキの構成を概略的に示す正面説明図（ａ）と背面説明図（ｂ）、図２は前記チョッキの前身頃部の構成を概略的に示す説明図、図３は前記チョッキの後身頃部の構成を概略的に示す説明図、図４は前記チョッキの防刃プロテクターの構成を概略的に示す説明図、図５は前記プロテクターの作用説明図、図６は前記プロテクターを装着した前記前身頃部の作用説明図、図７は前記チョッキの着用状態を示す説明図である。
【００１４】
上記図１〜図７において、この実施の形態（実施の形態１）の防刃チョッキは、前身頃部１０と後身頃部２０とを有し、身体２（図７参照）に着用するように構成したチョッキ本体１と、防刃プロテクター３とを備え、前記プロテクター３はチョッキ本体１の前身頃部１０に装着して設けてある。
【００１５】
実施の形態１のチョッキ本体１は、前身頃部１０と後身頃部２０を別体に形成してある。この場合、前身頃部１０と後身頃部２０を一体的に構成してもよいこと勿論である。
【００１６】
チョッキ本体１の前身頃部１０は、身体２の胸部から腹部までの部位を覆う第１の身頃部１０ａと、身体２の下腹部を覆う第２の身頃部１０ｂと、身体の両脇腹部を覆う第３及び第４の身頃部１０ｃ，１０ｄとを備えている。
【００１７】
実施の形態１の前身頃部１０は、前身頃部１０の左右上端部に肩ベルト部１１ａ，１１ｂを備え、両ベルト部１１ａ，１１ｂに面状ファスナ４，４の一方のファスナ構成素子４ａ，４ａが縫着等により固着して設けてある。後身頃部２０の後述する両肩ベルト部は前記両肩ベルト部１１ａ，１１ｂに係脱可能に係着される。
【００１８】
前身頃部１０の第１ないし第４の身頃部１０ａ…１０ｄは、図２に詳細に示すように、表生地１２と裏生地１３とを有し、第３及び第４の身頃部１０ｃ，１０ｄを除く周縁部を縫着等より固着し、両生地１２，１３間に収容部１４を形成してある。前記プロテクター３は収容部１４内に収容して設けられる。
第３及び第４の身頃部１０ｃ，１０ｄの周縁部における前記両生地１２，１３の対向面には面状ファスナ５が縫着等により固着して設けられ、第３及び第４の身頃部１０ｃ，１０ｄの周縁部における前記両生地１２，１３は面状ファスナ５により係脱自在に係着するように構成されている。この場合、面状ファスナ５は、一方のファスナ構成素子を表生地に、また、他方のファスナ構成素子を裏生地に縫着等により固着して設けてある。
【００１９】
前身頃部１０の中央部には、前記収容部１４の上端から下端にわたり、表生地に取り付けたスライドファスナ１５を備え、スライダー１５ａでファスナ１５を開閉して収容部１４を開閉できるように構成してある。前記プロテクター３はファスナ１５を開けて収容部１４内に収容して前身頃部１０に装着して設けられる。このように構成すると、プロテクター３の装着作業が容易になると共に修理等を行う場合にも作業が容易になる。また、第３及び第４の身頃部１０ｃ，１０ｄの周縁部を面状ファスナ５で係着する構成を採用することにより、プロテクター３の収容及び装着作業が容易になる。
【００２０】
前身頃部１０の第３及び第４の身頃部１０ｃ，１０ｄの略中央部における表生地１２の表面には、留め金具６の一方の留め具６ａ，６ａ（雌留め具）を任意の取付け手段で表生地１２に取付けて設けてある。また、両留め具６ａと対向させると共に両身頃部１０ｃ，１０ｄの外縁部（外端部）近くに位置させてベルト通し部材１６，１６が縫着等により固着して設けてある。後身頃２０の後述する腰ベルトに設けた留め金具６の他方の留め具６ｂ（雄留め具）は、前記雌留め具６ａに係着して固定（連結）される。また、雌留め具６ａの操作部６ｃを押動操作して係着を解除して両者６ａ，６ｂを切り離し可能に構成されている。
【００２１】
実施の形態１の後身頃部２０は、図３に詳細に示すように、前身頃部１０の両肩ベルト部１１ａ，１１ｂと対応させ、後身頃部２０の左右上端部に肩ベルト部２１ａ，２１ｂを備え、両ベルト部２１ａ，２１ｂに前記面状ファスナ４，４の他方のファスナ構成素子４ｂ，４ｂが縫着等により固着して設けてある。後身頃部２０の両肩ベルト部２１ａ，２１ｂと前身頃部１０の両肩ベルト部１１ａ，１１ｂは面状ファスナ４により係脱自在に係着して連結される。この実施の形態１のように構成すると、肩ベルトの長さを着用者に対応させて任意に調節して着用することができる。
【００２２】
後身頃部２０は、前身頃部１０の第３及び第４の身頃部１０ｃ，１０ｄの中央部に対応する部位に位置させて後身頃部２０の巾方向に向けて後身頃部２０の背面側に縫着等で固着して設けた適当長さの腰ベルト２２を備えている。腰ベルト２２の両端部には前記留め金具６の他方の留め具６ｂ（雄留め具）が取付けてある。実施の形態１の腰ベルト２２の先端部には面状ファスナ７の一方のファスナ構成素子７ａが縫着等により固着して設けてあると共に腰ベルト２２の先端部以外の部位にはファスナ７の他方のファスナ構成素子７ｂが縫着等により固着して設けてある。
そして、ベルト２２の両端部を雄留め具６ｂ，６ｂの所定部に挿通して引き出し、両ファスナ構成素子７ａ，７ｂを係脱自在に係着させて両雄留め具６ｂをベルト２２の両端部に取り付けてある。この実施の形態１の構成を採用すると、ベルト２２の長さを自由に調節することができる。したがって、腰ベルト２２の長さを着用者に対応して調節し、使用することができる。
【００２３】
また、実施の形態１の後身頃部２０は、後身頃部２０の内側面（腰ベルト２２と反対側の面）に一対のシート材２３，２４により、一端（図示では下端）を開口部２５した適当な大きさの袋状に形成した収容部２６を備えている。前記開口部２５における両シート材２３，２４の対向面には面状ファスナ８が縫着等により固着して設けられ、開口部２５を面状ファスナ８により開閉可能に構成してある。この場合、面状ファスナ８は、一方のファスナ構成素子を一方のシート材２３に、また、他方のファスナ構成素子を他方のシート材２４に縫着等により固着して設けてある。
上記構成を採用すると、所望に応じて前記収容部２６にも防刃プロテクター等を収容して設けて着用することができる。
【００２４】
前記防刃プロテクター３は、身体２の胸部から腹部までの部位を防護する第１の防刃部３１と、身体２の下腹部を防護する第２の防刃部３２と、身体２の両脇腹部を防護する第３及び第４の防刃部３３，３４とを備えている。
【００２５】
実施の形態１の前記プロテクター３は、図４に詳細に示すように、金属小板で造られ、四隅角部にリング挿通孔３６ａ…３６ｄを設けてなる多数の金属板製駒片３５を、隣接する縁部を互に重合させると共に挿通孔３６ａ…３６ｄに金属製リング３７を挿通して前記各駒片３５をフレキシブルに連結し、第１ないし第４の防刃部３１…３４を形成して構成されている。
【００２６】
前記駒片３５の素材は特に限定するものではないが、例えば、ニッケルクロームマンガン合金や特殊アルミ合金等を採用することができる。前記駒片３５の大きさや肉厚等は特に限定するものではないが、例えば、横巾約２０ミリ〜約３０ミリ、縦巾約１８ミリ〜約２５ミリ、肉厚約０．５ミリ〜約１．５ミリ程度に形成することができる。但し、前記範囲内に限定するものではない。
実施の形態１の前記駒片３５は、上下縁及び左右側縁を直線縁に形成すると共に各角部を丸く切り落した四角形状に形成してある。この場合、前記駒片３５は、例えば図８に示す実施の形態（実施の形態２）のように、上下縁を直線縁に形成すると共に左右側縁を円弧状に切り落として概略小判形状に形成し、これを横長に連結するように構成する等、任意に変更可能である。
【００２７】
上記のように構成したプロテクター３は、図５（ａ），（ｂ）に示すように、前記駒片３５の各重合部を介して縦方向及び横方向に対して自由に折り曲げ可能となる。
【００２８】
前記プロテクター３は、前身頃部１０の収容部１４に収容され、適当部を任意の固定手段３８（図１（ａ）参照）で固定して前身頃部１０に装着して設ける。これにより、プロテクター３を装着した状態において、前身頃部１０は図６（ａ），（ｂ）に示すように、縦方向及び横方向に対してフレキシブルに構成される。
【００２９】
実施の形態１の防刃チョッキは上記のように構成され、図７に示すように、身体２の上半身に着用して使用される。これにより、刃物による攻撃に対してチョッキ着用者の身体の胸部から腹部までの部位を確実に防御できると共に下腹部及び両脇腹部も確実に防御することができる。また、防刃チョッキを行動に支障なく着用することができる。
【００３０】
図９及び図１０は本考案の他の実施の形態（実施の形態３）の防刃チョッキを示す図である。図９は実施の形態３の防刃チョッキに採用される防刃プロテクターを示す図であって、図９（ａ）は前記プロテクターの全体構成を概略的に示す正面説明図、同図（ｂ）は前記プロテクターの一部を拡大し、その構成を概略的に示す正面説明図、図１０（ａ）は図９に示す前記プロテクターの一部を拡大し、その構成を概略的に示す縦断面説明図、同図（ｂ）は前記プロテクターに採用した金属板製駒片の構成を概略的に示す斜視図、同図（ｃ）は前記プロテクターの作用説明図である。
この防刃チョッキにおいて、実施の形態１で既に説明した構成と共通する構成部等には同一符号を付して説明を省略する。実施の形態３の防刃チョッキは防刃プロテクターの構成に特徴がある。
【００３１】
実施の形態３の防刃プロテクター３Ａは、金属小板４０ａで略四角形状に形成した多数の金属板製駒片４０を、隣接する縁部を互に重合させてシート基材４１上に並列し、前記各駒片４０の適当部をビス等４２でシート基材４１に固着して前記第１ないし第４の防刃部３１，３２，３３，３４を形成して構成されている。
上記のように構成したプロテクター３Ａは図１０（ｃ）に示すように、前記駒片４０の重合部を介して縦方向及び横方向に対して自由に折り曲げ可能となる。したがって、前記プロテクター３Ａを前身頃部１０の収容部１４に収容して装着した状態において、前身頃部１０は縦方向及び横方向に対してフレキシブルに構成される。
【００３２】
なお、実施の形態３の前記駒片４０の表面には、金属小板４０ａの縁部に沿わせて金属小板４０ａを凹ませて形成した凹部４３が設けてある。そして、各駒片４０は前記凹部４３側を表面に向けてシート基材４１上に並列し、各駒片４０の適当部に設けたビス孔４４を通してビス等４２でシート基材４１に固着されている。このように構成すると、ナイフやアイスピック等の刃物で攻撃を受けた際には、各駒片４０でこれを防御できると共に、攻撃された際に刃物が駒片４０上を滑っても、凹部４３の淵部でこれを喰い止めるので、刃物の先端が各駒片４０の重合部の隙間から侵入して身体に達するのを防止できる。
【００３３】
前記駒片４０の素材は特に限定するものではないが、例えば、ニッケルクロームマンガン合金や特殊アルミ合金等を採用することができる。前記駒片４０の大きさや肉厚等は特に限定するものではないが、例えば、横巾約２０ミリ〜約３０ミリ、縦巾約１８ミリ〜約２５ミリ、肉厚約０．３ミリ〜約１．５ミリ程度に形成することができる。但し、前記範囲内に限定するものではない。
前記シート基材４１の素材は可及的強靭な布地を使用するのが好ましく、例えば、一般に防弾衣などに使用されている高強力なアラミド繊維（例えば、米国のデュポン社のケプラー、登録商標）などが適している。但し、アラミド繊維以外の繊維で構成したシート基材を採用してもよいこと勿論である。
【００３４】
実施の形態３のプロテクター３Ａは上記のように構成され、実施の形態１と同様に前身頃部１０の収容部１４に収容して適当部を任意の固定手段で固定して前身頃部１０に装着して設ける。これにより、実施の形態１と同様の作用効果を奏する。
【００３５】
なお、上述したチョッキ本体１及び防刃プロテクター３，３Ａは一例として開示したもので、図示以外の構成に変更可能なこと勿論である。
【００３６】
また、上記した各実施の形態の防刃チョッキは一例として開示したもので、本考案は上記の実施の形態に限定されるものではなく、実用新案登録請求の範囲に記載の技術思想を越脱しない範囲内において任意に変更可能なものである。
【図面の簡単な説明】
【００３７】
【図１】本考案の一実施の形態の防刃チョッキを示す図であって、図１（ａ）は前記チョッキの構成を概略的に示す正面説明図、同図（ｂ）は同じく背面説明図である。
【図２】前記チョッキの前身頃部を示す図であって、図２（ａ）は前身頃部の構成を概略的に示す正面説明図、同図（ｂ）は同図（ａ）のＡ−Ａ線断面説明図、同図（ｃ）は同図（ａ）のＢ−Ｂ線断面説明図、同図（ｄ）は同図（ａ）のＣ−Ｃ線拡大断面説明図である。
【図３】前記チョッキの後身頃部を示す図であって、図３（ａ）は後身頃部の構成を内側面側から見て概略的に示す正面説明図、同図（ｂ）は同図（ａ）のＤ−Ｄ線断面説明図、同図（ｃ）は同図（ａ）のＥ−Ｅ線断面説明図、同図（ｄ）は前記後身頃部に採用した腰ベルトの一部を拡大し、その構成を概略的に示す説明図である。
【図４】前記チョッキの防刃プロテクターを示す図であって、図４（ａ）は前記プロテクターの全体構成を概略的に示す正面説明図、同図（ｂ）は前記プロテクターの一部を拡大し、その構成を概略的に示す正面説明図、同図（ｃ）は前記プロテクターに採用した金属板製駒片の構成を概略的に示す斜視図である。
【図５】図５（ａ）及び（ｂ）は前記プロテクターの作用説明図である。
【図６】図６（ａ）及び（ｂ）は前記プロテクターを装着した前記前身頃部の作用説明図である。
【図７】前記防刃チョッキの着用状態を示す説明図である。
【図８】本考案の防刃チョッキの他の実施の形態の防刃プロテクターに採用される金属板製駒片の構成を概略的に示す斜視図である。
【図９】本考案の防刃チョッキのさらに他の実施の形態の防刃プロテクターを示す図であって、図９（ａ）は前記プロテクターの全体構成を概略的に示す正面説明図、同図（ｂ）は前記プロテクターの一部を拡大し、その構成を概略的に示す正面説明図である。
【図１０】図１０（ａ）は図９に示す前記プロテクターの一部を拡大し、その構成を概略的に示す縦断面説明図、同図（ｂ）は前記プロテクターに採用した金属板製駒片の構成を概略的に示す斜視図、同図（ｃ）は前記プロテクターの作用説明図である。
【図１１】従来の防刃チョッキの一例の構成を概略的に示す正面説明図である。
【符号の説明】
【００３８】
１        チョッキ本体
２        身体
３        防刃プロテクター
１０      前身頃部
１０ａ    第１の身頃部
１０ｂ    第２の身頃部
１０ｃ    第３の身頃部
１０ｄ    第４の身頃部
３１      第１の防刃部
３２      第２の防刃部
３３      第３の防刃部
３４      第４の防刃部
【図１】
0003127246.tif 000003
【図２】
0003127246.tif 000004
【図３】
0003127246.tif 000005
【図４】
0003127246.tif 000006
【図５】
0003127246.tif 000007
【図６】
0003127246.tif 000008
【図７】
0003127246.tif 000009
【図８】
0003127246.tif 000010
【図９】
0003127246.tif 000011
【図１０】
0003127246.tif 000012
【図１１】
0003127246.tif 000013